(57)【特許請求の範囲】
【請求項１】
戸周辺材に設けられる第１部材と、
該第１部材に平行移動可能に対向して組み付けられた第２部材と、
上記第１部材及び第２部材の一方に回転自在に設けられたピニオンと、
上記第１部材及び第２部材の他方に設けられ上記ピニオンが噛み合うラックとを備え、
建具が上記戸周辺材に対して基準位置から位置ズレしている場合、該建具の動作に連動した上記ピニオンとラックとの噛合回転作用により、上記第２部材が上記第１部材に対して平行移動して上記建具の位置ズレを戸周辺材側で吸収することを特徴とする戸周辺材の平行移動装置。
【請求項２】
請求項１に記載の戸周辺材の平行移動装置において、
上記第１部材は、上記建具としての引き戸が収められる開口部の上端縁を構成する上記戸周辺材としての鴨居に設けられ、
上記第２部材は、上記引き戸の上端部に係脱可能に係合し、
上記ピニオンは、回転軸心が上記引き戸の移動方向に延びて該回転軸心回りに回転し、
上記ラックには、複数の歯が上記引き戸の移動方向と直交する方向に所定ピッチで配列されていることを特徴とする戸周辺材の平行移動装置。
【請求項３】
請求項１に記載の戸周辺材の平行移動装置において、
上記第１部材及び第２部材は、上記建具としての引き戸が収められる開口部の下端縁で上下に重なって上記戸周辺材としての敷居を構成し、
上記ピニオンは、回転軸心が上記引き戸の移動方向に延びて該回転軸心回りに回転し、
上記ラックには、複数の歯が上記引き戸の移動方向と直交する方向に所定ピッチで配列されていることを特徴とする戸周辺材の平行移動装置。
【発明の詳細な説明】
【技術分野】
【０００１】
この発明は、引き戸や開き戸における戸周辺材の平行移動装置に関する。
【背景技術】
【０００２】
住宅等の建築物の開口部に収められた引き戸を衝撃が生じないようにゆっくりと閉めるために、引き戸の閉速度を閉直前に減速させる引き戸用制御装置が開発されている（特許文献１参照）。
【０００３】
この制御装置は、鴨居に設けられた直方体形状の制動部材と、引き戸の上端部に設けられ、２枚のＬ字形状の板材が摺動凹溝を形成するように組み合わされた当接部材とで構成され、引き戸の閉動作により上記制動部材が上記当接部材の摺動凹溝に圧入されて、制動部材の両側面と摺動凹溝の両側面とが摺接することで摩擦抵抗力を発生させ、引き戸の閉速度を減速させるようになっている。
【０００４】
ところで、上記の制御装置を備えた引き戸を含めて、一般の引き戸では、経年変化により反りや歪みが発生して引き戸が鴨居や敷居に対して位置ズレすることがある。この位置ズレを吸収するために、例えば、引き戸側の取付金具の取付孔を引き戸の厚み方向に長い長孔に形成し、鴨居側の取付金具の取付孔と上記引き戸側の取付孔（長孔）とを重ねて長孔の長さ範囲内で両取付金具の位置を調整した後、両取付孔に取付ネジを挿入して両取付金具を締結することが一般に行われている。
【先行技術文献】
【特許文献】
【０００５】
【特許文献１】特許第３４２３１８０号公報（段落００３７欄、図１４〜図１６）
【発明の概要】
【発明が解決しようとする課題】
【０００６】
しかし、上述の如くして折角、両取付金具を位置合わせしても、取付ネジを締め付ける際、取付ネジの回転動作で引き戸側の取付金具がネジ回転方向に位置ズレしてしまい、両取付金具に対して平行度が出難く、鴨居に対する引き戸の位置ズレを適正に吸収し得ない事態が生ずる。同様のことは敷居側でも起こり得る。
【０００７】
この発明はかかる点に鑑みてなされたものであり、その目的とするところは、戸の経年変化による反りや歪みを吸収することである。
【課題を解決するための手段】
【０００８】
上記の目的を達成するため、この発明は、戸周辺材に平行移動機構を組み込んだことを特徴とし、具体的には、次のような解決手段を講じた。
【０００９】
すなわち、第１の発明は、戸周辺材に設けられる第１部材と、該第１部材に平行移動可能に対向して組み付けられた第２部材と、上記第１部材及び第２部材の一方に回転自在に設けられたピニオンと、上記第１部材及び第２部材の他方に設けられ上記ピニオンが噛み合うラックとを備え、建具が上記戸周辺材に対して基準位置から位置ズレしている場合、該建具の動作に連動した上記ピニオンとラックとの噛合回転作用により、上記第２部材が上記第１部材に対して平行移動して上記建具の位置ズレを戸周辺材側で吸収することを特徴とする。
【００１０】
第２の発明は、第１の発明において、上記第１部材は、上記建具としての引き戸が収められる開口部の上端縁を構成する上記戸周辺材としての鴨居に設けられ、上記第２部材は、上記引き戸の上端部に係脱可能に係合し、上記ピニオンは、回転軸心が上記引き戸の移動方向に延びて該回転軸心回りに回転し、上記ラックには、複数の歯が上記引き戸の移動方向と直交する方向に所定ピッチで配列されていることを特徴とする。
【００１１】
第３の発明は、第１の発明において、上記第１部材及び第２部材は、上記建具としての引き戸が収められる開口部の下端縁で上下に重なって上記戸周辺材としての敷居を構成し、上記ピニオンは、回転軸心が上記引き戸の移動方向に延びて該回転軸心回りに回転し、上記ラックには、複数の歯が上記引き戸の移動方向と直交する方向に所定ピッチで配列されていることを特徴とする。
【発明の効果】
【００１２】
第１の発明によれば、建具の動作に連動したピニオンとラックとの噛合回転作用により、第１部材に対して第２部材が平行移動し、建具の反りや歪みを適正に吸収することができる。
【００１３】
第２の発明によれば、平行移動装置を引き戸に適用した場合であり、ピニオンが引き戸の移動方向に延びる回転軸心回りに回転することによるラックとの噛合回転作用により、第１部材に対して第２部材が引き戸の移動方向と直交する方向に平行移動し、引き戸の反りや歪みを鴨居側で吸収することができる。
【００１４】
第３の発明によれば、第２の発明同様、平行移動装置を引き戸に適用した場合であるが、引き戸の反りや歪みを敷居側で吸収するようにしている点が第２の発明と相違している。
【図面の簡単な説明】
【００１５】
【図１】実施形態１に係る平行移動装置を備えた引き戸用制御装置を鴨居及び引き戸の上端部に適用した斜視図である。
【図２】実施形態１に係る平行移動装置を上下反転させた状態の分解斜視図である。
【図３】実施形態１に係る平行移動装置の第１部材を示し、（ａ）は図２の向きで正面図、（ｂ）は図２の向きで平面図である。
【図４】実施形態１に係る平行移動装置の第２部材を示し、（ａ）は図２の向きで正面図、（ｂ）は図２の向きで底面図である。
【図５】実施形態１に係る平行移動装置の使用例を示し、（ａ）は引き戸が基準位置から右側に変位した状態、（ｂ）は引き戸が基準位置にある状態、（ｃ）は引き戸が基準位置から左側に変位した状態である。
【図６】実施形態２に係る平行移動装置が適用された引き戸の敷居の斜視図である。
【図７】実施形態２に係る平行移動装置が適用された引き戸の敷居の分解斜視図である。
【図８】参考形態に係る平行移動装置が適用された開き戸の戸当たり部分の横断面図である。
【発明を実施するための形態】
【００１６】
以下、この発明の実施形態について図面に基づいて説明する。
【００１７】
（実施形態１）
図１は、住宅等の建築物の開口部の上端縁を構成する鴨居１、及び上記開口部に収められる建具としての引き戸３の上端部に適用された引き戸用制御装置５を示す。ここで、鴨居１や後述する実施形態２の敷居３５、実施形態３の縦枠４７等を戸周辺材とする。
【００１８】
この制御装置５は、直方体形状の制動部材７と、２枚のＬ字形状の板材が摺動凹溝９ａを形成するように組み合わされた当接部材９とで構成され、上記制動部材７は、上記鴨居１に形成された案内溝１ａに収められてネジ止めされている。上記当接部材９は、上記引き戸３の上端部に上記摺動凹溝９ａが露出するように埋設され、上記摺動凹溝９ａを構成する側壁上端には、摩擦抵抗付与材９ｂが設けられている。上記制動部材７の内部には、制動機構（図示せず）が内蔵されていて、上記引き戸３の閉動作により上記制動部材７が上記当接部材９の摺動凹溝９ａに圧入されて、制動部材７の両側面７ａと当接部材９の摩擦抵抗付与材９ｂとが摺接することで摩擦抵抗力を発生させ、引き戸３の閉速度を閉直前に減速させるようになっている。上記制動部材７及び当接部材９の構成は、上記特許文献１に詳細に説明しているので割愛する。また、上記当接部材９の側方には、戸車１０が上記鴨居１の案内溝１ａを転動自在に取り付けられている。
【００１９】
上記制御装置５のうち鴨居１側の制動部材７は、実施形態１に係る平行移動装置７を構成し、以下、この平行移動装置に制動部材と同じ符号７を付すこととする。
【００２０】
上記平行移動装置７は、図２〜図４に示すように、戸周辺材である鴨居１の案内溝１ａに収められてネジ止めされた第１部材１１と、該第１部材１１に平行移動可能に対向して組み付けられ、上記引き戸３の当接部材９の摺動凹溝９ａに係脱可能に係合する第２部材１３とを備えている。
【００２１】
上記第１部材１１は細長い板状をしていて、長手方向両端内寄りに矩形突出部１５が１つずつ一体に突設され、該突出部１５には円形の取付孔１５ａが貫通形成されている。この両突出部１５の内方には、細長い収容ブロック１７が上記突出部１５と同じ高さで一体に突設され、該収容ブロック１７には、２つの収容凹部１９が長手方向に直列に並ぶように凹設されている。これら収容凹部１９には、回転軸心が上記引き戸３の移動方向に延びて該回転軸心回りに回転するピニオン２１がそれぞれ収容され、該ピニオン２１の外周には、複数の歯２１ａが回転軸心方向に延びるように形成されている。また、上記収容ブロック１７両端側には、係合溝２３が上記両突出部１５との間に位置するようにそれぞれ形成されている。
【００２２】
一方、上記第２部材１３は、平行移動機構が内蔵された直方体形状の機構部２５と、該機構部２５の一側面から外側方に張り出すフランジ部２７とを備えている。該フランジ部２７の長手方向両端には、上記各突出部１５に長手方向外側から当接する位置決め突起２９が１つずつ一体に突設され、これら位置決め突起２９の内方には、上記第１部材１１の各取付孔１５ａに対応するように引き戸３の厚み方向に長い長孔からなる取付孔２７ａがそれぞれ貫通形成されている。また、上記両取付孔２７ａの内方には係合突起３１が１つずつ形成され、これら係合突起３１の間には、複数（３つ）の歯３３ａが上記引き戸３の移動方向と直交する方向に所定ピッチで配列された２つのラック３３が、長手方向に直列に並ぶように、かつ上記ピニオン２１に対応するように一体に形成されている。
【００２３】
そして、上記第１部材１１と第２部材１３とを組み合わせた状態で、第２部材１３の位置決め突起２９が第１部材１１の突出部１５外側面に当接するとともに、第２部材１３の係合突起３１が第１部材１１の係合溝２３に引き戸３の厚み方向に移動可能に係合して両者の長手方向の位置決めがなされ、これにより、上記ピニオン２１がラック３３に噛み合って平行移動装置７が構成される。この平行移動装置（制動部材）７は、引き戸３の閉動作により上記当接部材９の摺動凹溝９ａに圧入されて、制動部材７の両側面７ａと当接部材９の摩擦抵抗付与材９ｂとが摺接することで摩擦抵抗力を発生させ、引き戸の閉速度を減速させるようになっている。
【００２４】
この際、引き戸３に経年変化により反りや歪みが発生して、図５（ｂ）に示すように、引き戸３が基準位置Ｓにある状態から、図５（ａ）のように、引き戸３が基準位置Ｓから右側に変位して鴨居１に対して位置ズレしている場合や、逆に図５（ｃ）のように、引き戸３が基準位置Ｓから左側に変位して鴨居１に対して位置ズレしている場合には、上記引き戸３の閉動作に連動した上記ピニオン２１とラック３３との噛合回転作用により、第２部材１３が図５（ａ）では左側に、図５（ｃ）では右側に、第１部材１１に対して引き戸３の移動方向と直交する方向にそれぞれ平行移動し、引き戸３自体の鴨居１に対する位置調整を容易に行って引き戸３の反りや歪み（位置ズレ）を鴨居１側で適正に吸収することができる。
【００２５】
（実施形態２）
図６及び図７は、実施形態２に係る平行移動装置７が適用された引き戸(建具)３の戸周辺材としての敷居３５を示す。
【００２６】
この敷居３５は、第１部材１１と第２部材１３とを引き戸（図示せず）が収められる開口部の下端縁で上下に重ならせて構成されている。上記第１部材１１は、長尺形状に形成されて戸周辺材である上記開口部の下端縁つまり床３７に埋設され、上方に開口する収容凹部３９が長手方向全長に亘って凹設されている。この収容凹部３９には、回転軸心が上記引き戸の移動方向に延びて該回転軸心回りに回転する長尺のピニオン２１が収容凹部３９全長に亘って収容されている。一方、上記第２部材１３は、長尺形状に形成され、上面には引き戸の下端縁が摺動するレール溝４１が長手方向全長に亘って形成されているとともに、下面には上記ピニオン２１が噛み合う長尺のラック３３が長手方向全長に亘って形成され、上記ピニオン２１の外周には、複数の歯２１ａが回転軸心方向に延びるように形成されている。また、上記ラック３３には、複数（３つ）の歯３３ａが引き戸の移動方向と直交する方向に所定ピッチで配列されている。この第２部材１３は、上記第１部材１１に上方から覆い被るように重ねられ、第１部材１１に平行移動可能に対向して組み付けられている。図６及び図７中、４２ａは取付ネジ、４２ｂはネジ挿通孔である。
【００２７】
そして、引き戸に経年変化により反りや歪みが発生して、引き戸が基準位置にある状態から引き戸の厚み方向に変位して敷居３５に対して位置ズレしている場合には、上記引き戸の開閉動作に連動した上記ピニオン２１とラック３３との噛合回転作用により、第２部材１３が第１部材１１に対して引き戸の移動方向と直交する方向に平行移動し、引き戸自体の敷居３５に対する位置調整を容易に行って引き戸の反りや歪み（位置ズレ）を敷居３５側で適正に吸収することができる。
【００２８】
（参考形態）
図８は、参考形態に係る平行移動装置７が適用された建具としての開き戸４３の戸当たり４５部分を示す。図８中、４７は開き戸４３が収められた開口部４９の側端縁を構成する戸周辺材としての縦枠であり、上記戸当たり４５は、縦枠４７に戸開閉方向へ移動可能に設けられ、上記開き戸４３を閉じ位置に移動規制するためのものであり、開き戸４３と対面する箇所には、モヘア５１が上下方向に延びるように取り付けられている。
【００２９】
上記縦枠４７には上下方向に延びる収容溝４７ａが凹設され、該収容溝４７ａには、長尺形状の第１部材１１が上下方向に延びるように埋設されている。この第１部材１１には、収容凹部５３が長手方向全長に亘って凹設され、回転軸心が上下方向に延びて該回転軸心回りに回転する長尺のピニオン２１が収容凹部５３全長に亘って収容されている。該ピニオン２１の外周には、図８では符号を付していないが、図７と同様に複数の歯が回転軸心方向に延びるように形成されている。
【００３０】
一方、上記戸当たり４５には、第２部材１３が埋設され、該第２部材１３には、図８では符号を付していないが、図７と同様に複数の歯が水平方向に所定ピッチで配列された長尺のラック３３が上下方向に延びるように一体に形成されている。
【００３１】
そして、開き戸４３に経年変化により反りや歪みが発生して、開き戸４３が基準位置にある状態から開き戸４３の厚み方向に変位して戸当たり４５に対して位置ズレしている場合には、ピニオン２１とラック３３との噛合回転作用により第２部材１３（戸当たり４５）を第１部材１１（縦枠４７）に対して戸開方向に平行移動させ（図８仮想線参照）、開き戸４３自体の戸当たり４５に対する位置調整を容易に行って、開き戸４３の反りや歪み（位置ズレ）を戸当たり４５で吸収して閉状態で開き戸４３と戸当たり４５との間から光、音又は空調機の調和空気を漏れないようにすることができる。
【００３２】
なお、上記の実施形態１，２及び参考形態では、第１部材１１側にピニオン２１を、第２部材１３側にラック３３をそれぞれ設けたが、これとは逆に、第１部材１１側にラック３３を、第２部材１３側にピニオン２１をそれぞれ設けても同様の作用効果を奏することができる。
【産業上の利用可能性】
【００３３】
この発明は、引き戸や開き戸における戸周辺材の平行移動装置として有用である。
【符号の説明】
【００３４】
１    鴨居（戸周辺材）
３    引き戸（建具）
７    平行移動装置
１１  第１部材
１３  第２部材
２１  ピニオン
３３  ラック
３５  敷居（戸周辺材）
４３  開き戸（建具）
４５  戸当たり
４７  縦枠（戸周辺材）
４９  開口部
【図１】
0005485104.tif 000002
【図２】
0005485104.tif 000003
【図３】
0005485104.tif 000004
【図４】
0005485104.tif 000005
【図５】
0005485104.tif 000006
【図６】
0005485104.tif 000007
【図７】
0005485104.tif 000008
【図８】
0005485104.tif 000009